(57)【要約】【課題】ユーザがスパウトを所定の位置まで押し下げたことを認識できる噴出ポンプを提供する。【解決手段】噴出ポンプ１０は、一定量の内容物を吸い上げて収容する空間４５を内部に有するシリンダー４１と、一端がシリンダー４１ー内に挿入されたピストン４３と、ピストン４３の他端に固定され、ピストン４３の空間４５を圧縮する方向への変位によりシリンダー４１内から押し出された内容物を噴出するスパウト３０と、ピストン４３の一端がシリンダー４１内で圧縮する方向への変位が一定量に達したときに、音を発生するか、または、ピストン４３の変位に非円滑性を生じさせる機構部とを有する。【選択図】図２
2020083425.tif 000002
【特許請求の範囲】
【請求項１】
一定量の内容物を吸い上げて収容する空間を内部に有するシリンダーと、
一端が前記シリンダー内に挿入されたピストンと、
前記ピストンの他端に固定され、前記ピストンの前記空間を圧縮する方向への変位により前記シリンダー内から押し出された内容物を噴出するスパウトと、
前記ピストンの前記一端が前記シリンダー内で前記圧縮する方向への変位が一定量に達したときに、音を発生するか、または、前記ピストンの変位に非円滑性を生じさせる機構部とを有することを特徴とする噴出ポンプ。
【請求項２】
前記ピストンの前記変位に伴って変位する１以上の変位部材と、
前記シリンダーに対して、少なくとも前記シリンダーの軸方向について固定された固定部とをさらに有し、
前記機構部は、前記ピストン、前記スパウトおよび前記変位部材の少なくとも一つの一部、および／または、前記シリンダーおよび前記固定部の少なくとも一方の一部に設けられた係合部を有することを特徴とする請求項１に記載の噴出ポンプ。
【請求項３】
前記係合部は、前記ピストンの他端または前記スパウトの一部に設けられた、凸部または凹部を備えた第１係合部を含み、前記シリンダーまたは前記固定部の、前記スパウト側の端部と係合することを特徴とする請求項２に記載の噴出ポンプ。
【請求項４】
前記係合部は、前記シリンダーまたは前記固定部の、前記スパウト側の端部に設けられた、凹部または凸部を備えた第２係合部を含み、前記第２係合部は、前記第１係合部と係合することを特徴とする請求項３に記載の噴出ポンプ。
【請求項５】
前記固定部は、当該噴出ポンプを容器体に固定するキャップの一部であり、前記シリンダーに対して周方向に回転可能であることを特徴とする請求項２に記載の噴出ポンプ。
【請求項６】
前記シリンダー内の前記空間には、前記ピストンの前記一端を前記圧縮する方向とは逆方向に付勢する弾性体が配置され、
前記弾性体が、前記ピストンの前記一端を前記圧縮する方向とは逆方向に押すことにより、前記係合部の係合が解消されることを特徴とする請求項２に記載の噴出ポンプ。
【請求項７】
前記ピストンの前記圧縮する方向への変位が一定量に達したときとは、前記ピストンが前記空間を最も圧縮している状態であることを特徴とする請求項１に記載の噴出ポンプ。
【請求項８】
前記スパウトは、
前記ピストンの前記他端が挿入されて固定される内筒と、
前記内筒の上に固定されている円板と、
前記円板の外周端の下面に固定されている外筒と、
前記内筒および前記外筒を貫通し、前記シリンダーの軸方向に対して直交する方向に突設されているノズルとを有しており、
前記第１係合部は、前記円板の下面の前記内筒よりも外周側に配置されていて、
前記変位により、前記シリンダーまたは前記固定部の外周面に配置されている前記第２係合部に係合する
ことを特徴とする請求項４に記載の噴出ポンプ。
【請求項９】
前記係合部は、前記内筒と前記外筒との間の空間に、周方向に複数配置されていることを特徴とする請求項８に記載の噴出ポンプ。
【請求項１０】
前記第２係合部の前記凹部と係合する前記第１係合部の前記凸部が、前記シリンダーの軸方向に複数段設けられていることを特徴とする請求項４に記載の噴出ポンプ。
【請求項１１】
前記内容物を収容する容器体と、前記容器体の上部に取り付けられた噴出ポンプとを有し、前記噴出ポンプは、請求項１〜１０のいずれか１項に記載の噴出ポンプであることを特徴とする噴出容器。
【発明の詳細な説明】
【技術分野】
【０００１】
本発明は、容器内に収容された内容物を噴出する噴出ポンプに関する。
【背景技術】
【０００２】
シャンプーやリンス、洗剤、薬剤等の液剤を噴出する噴出容器として、容器の上部の開口に噴出ポンプが装着されたものが、一般的に使用されている。噴出ポンプには、直圧型と蓄圧型とがあることが知られている。噴出ポンプは、容器内で内容物を吸い上げるパイプと、パイプ上端に設けられたポンプ機構と、ポンプ機構の上端に設けられ、内容物を噴射するスパウト（ノズル）を備えている（例えば特許文献１、２）。
【０００３】
直圧型のポンプ機構は、シリンダーとピストンを備えており、パイプから吸い上げた内容物は、一定量シリンダー内に収容される。このようなポンプ機構は、ユーザがノズルを押し下げると（作動時）、シリンダー内でピストンが降下し、降下している間はピストン周囲に備えられた弁が開くように構成されている。これにより、シリンダー内の内容物が、ピストンの周囲の弁を通って上方に押し出され、ノズルから噴出される。ユーザが手を放すと、シリンダー内のばねによりピストンが上方に移動し（復帰時）、ピストンの周囲の弁は閉じ、シリンダーの下部に配置されたボール状の逆止弁が開くため、容器内の内容物がパイプから吸い上げられ、シリンダー内に一定量の内容物が再び満たされる。
【０００４】
特許文献２に開示されている噴出ポンプは、上記構成を基本として、さらに使用者の心を和ませ、或いは楽しませるために、空気の通過により音を発する笛がピストンの内部に設けられており、ピストンの上下動に伴って音を発する構造を有している。
【０００５】
また、特許文献３には、容器の開口に装着されるアダプタに対して回転可能なリング部材を有し、ユーザがリング部材を回転させることにより、ノズルを指定回数押下可能な位置（指示位置）とノズルが押下されないようにロックされる位置（ロック位置）とのいずれかに変更可能な噴出ポンプが開示されている。この噴出ポンプは、ユーザがリング部材を回転させると、リング部材に設けられている突起がアダプタに設けられている凹部に挿入されることにより、クリック感を生じ、指示位置やロック位置に移動したことをユーザに伝える。
【先行技術文献】
【特許文献】
【０００６】
【特許文献１】特開２００２−３７０７６３号公報
【特許文献２】特開２００２−１７３１６６号公報
【特許文献３】特開２０１１−４９１２号公報
【発明の概要】
【発明が解決しようとする課題】
【０００７】
従来の直圧型の噴出ポンプでは、スパウトから噴出される内容物の量は、ユーザがスパウト（すなわちピストンの上端）を押し下げる量に依存する。そのため、ユーザが毎回、スパウトを最下部まで押下すれば、シリンダー内の一定量の内容物がノズルから噴出されるが、ユーザがスパウトを途中までしか押下しなかったり、スパウトの押し下げ量が毎回異なったりすると、噴出量を一定にすることは難しい。
【０００８】
従来の噴出ポンプの使用者は、スパウトが最下部にまで到達したかどうかを認識せずに使用していることが多い。シャンプーなどのように、一度に使用する量に制限がない内容物の場合には、噴出された量を目視で確認して、少なければ何度も押し下げて、好みの量になるまで追加して噴出させればよく、従来の使用方法で問題は生じない。
【０００９】
しかしながら、一度に使用すべき量が決められている薬剤などに噴出ポンプを用いる場合、一定量を正確に噴出させるために、スパウトが最下部まで押し下げられたことを容易に認識できる構造が望まれる。
【００１０】
また、スパウトが最下部まで押し下げられたことを容易に認識できる構造であれば、視覚障害のある使用者にとっても使い勝手が良くなる。
【００１１】
特許文献２に記載されている笛の機構を備えた噴出ポンプは、スパウトの上下動により音が発生し、使用者の心を和ませることはできるが、スパウトが最下部まで押し下げられたことを認識させることはできない。
【００１２】
また特許文献３に記載されている噴出ポンプでは、噴出ポンプのノズルが指示位置にあるのかロック位置にあるのかを、ユーザに認知させることはできるが、スパウトが最下部まで押し下げられたことを認識させることはできない。
【００１３】
本発明の目的は、ユーザがスパウトを所定の位置まで押し下げたことを認識できる噴出ポンプを提供することである。
【課題を解決するための手段】
【００１４】
上記目的を達成するために、本発明の噴出ポンプは、一定量の内容物を吸い上げて収容する空間を内部に有するシリンダーと、一端がシリンダー内に挿入されたピストンと、ピストンの他端に固定されてピストンの空間を圧縮する方向への変位によりシリンダー内から押し出された内容物を噴出するスパウトと、ピストンの一端がシリンダー内で圧縮する方向への変位が一定量に達したときに、音を発生するか、または、ピストンの変位に非円滑性を生じさせる機構部とを有することを特徴とする。
【発明の効果】
【００１５】
本発明によれば、ユーザは、係合部が発する音あるいは非円滑性の触感によって、スパウトを所定の位置まで押し下げたことを認識できる。
【図面の簡単な説明】
【００１６】
【図１】（ａ）〜（ｂ）噴出容器２０の斜視図。
【図２】（ａ）図１（ａ）の噴出ポンプ１０のＡ−Ａ断面図、（ｂ）図１（ｂ）の噴出ポンプ１０のＢ−Ｂ断面図。
【図３】（ａ）スパウト３０の斜視図、（ｂ）スパウト３０の下面図。
【図４】ポンプ機構４０の斜視図。
【図５】キャップ１２の斜視図。
【図６】（ａ）〜（ｂ）噴出ポンプ１０の部分拡大図。
【図７】（ａ）〜（ｂ）噴出ポンプ１０の動作例を示す断面図。
【図８】（ａ）〜（ｂ）噴出ポンプ１０の動作例を示す断面図。
【図９】変形例のスパウト３０Ｂを示す側面図。
【発明を実施するための形態】
【００１７】
以下、本発明の一実施の形態の噴出容器について説明する。
【００１８】
本実施形態の噴出ポンプは一定量の内容物（液剤）を吸い上げて収容する空間（定量室）を内部に有するシリンダーと、一端（下端）がシリンダー内に挿入されたピストンと、スパウトとを有する。スパウトは、ピストンの他端（上端）に固定され、ピストンの定量室を圧縮する方向への変位によりシリンダー内から押し出された内容物を噴出する。噴出ポンプはさらに、ピストンの下端がシリンダー内で圧縮する方向への変位が一定量に達したときに、音を発生するか、または、ピストンの変位に非円滑性を生じさせる機構部を有している。
【００１９】
以下、図面に即して本実施形態の噴出ポンプ１０の詳細を説明する。なお、図１（ａ）、図２（ａ）および図６（ａ）は、噴出ポンプ１０のスパウト３０がユーザにより押下されていない状態を示し、図１（ｂ）、図２（ｂ）および図６（ｂ）は、噴出ポンプ１０のスパウト３０がユーザにより押下されている状態を示している。
【００２０】
噴出ポンプ１０は、内容物を収納する容器体２１の上部に着脱可能であり、以下の説明において、上下方向は、噴出容器２０が使用される形態での方向とは関係なく、容器体２１の底部を下側、容器体２１に噴出ポンプ１０が取り付けられている側を上側という。
【００２１】
（噴出容器２０の全体構成）
図１（ａ）、（ｂ）に示すように噴出容器２０は、容器体２１と、容器体２１の上部の開口部２２に取り付けられる噴出ポンプ１０とを備える。開口部２２は、容器体２１の中心軸上に設けられた円筒である。
【００２２】
噴出ポンプ１０は、容器体２１内の内容物を吸い上げるポンプ機構４０と、ポンプ機構４０の上部に固定されてユーザにより押下されるスパウト３０と、噴出ポンプ１０を開口部２２に装着するキャップ１２と、ポンプ機構４０の下端に固定されて容器体２１内の内容物を吸い上げる流路となるパイプ１１とを備えている。ポンプ機構４０は図２及び図４に示すように、シリンダー４１と、シリンダー４１内に挿入されているピストン４３を備えている。
【００２３】
スパウト３０は、図２および図３に示すように、ピストン４３の上端が挿入されている内筒３３と、内筒３３の上面に固定されている円板３１と、円板３１の外周端の下面に固定されている外筒３２と、内筒３３および外筒３２を貫通してシリンダー４１の軸方向に対して直交する方向に突設されているノズル１３とを有している。
【００２４】
ポンプ機構４０は、さらに図２に示すように、定量室４５の内部にピストン４３の下端を、定量室４５を圧縮する方向とは逆方向（上方向）に付勢する弾性体４４を有している。またポンプ機構４０は、パイプ１１と定量室４５との連結部を開閉するボール状の逆止弁（ボール弁）４２と、定量室４５とピストン４３内の流路との連結部を開閉する逆止弁４７とを備えている。ボール弁４２はシリンダー４１の下部に配置されていて、逆止弁４７はピストン４３の周囲に設けられている。
【００２５】
ユーザによりスパウト３０が押下されていない状態（静止状態）では、ボール弁４２と逆止弁４７が閉じている。ユーザがスパウト３０を押下すると、シリンダー４１内でピストン４３が降下して弾性体４４が縮められる。このときピストン４３の降下に伴って逆止弁４７が開くため、定量室４５内の内容物がピストン４３内に流入して上方に押し出され、内筒３３内を通ってノズル１３から噴出される。ユーザがスパウト３０から手を放すと、弾性体４４が伸張しピストン４３の下端を押し上げて復帰させる。ピストン４３が上方に移動することにより逆止弁４７が閉じてボール弁４２が開くため、容器体２１内の内容物がパイプ１１から定量室４５内に吸い上げられて定量室４５が満たされる。
【００２６】
キャップ１２は、シリンダー４１を容器体２１に固定するものであり、図４に示すように、シリンダー４１に対して周方向に回転可能に固定されているキャップ部分と、その上部に立設された円筒状の固定部１２ａとを有する。
【００２７】
固定部１２ａは、シリンダー４１とピストン４３の外周を覆うように配置されている。固定部１２ａの下端は、図２に示すように、シリンダー４１の上端からシリンダー４１内に挿入されて回転可能に固定されており、シリンダー４１内にて固定部１２ａの下端でピストン４３を上下動可能に保持している。
【００２８】
さらに本実施形態では、スパウト３０側とポンプ機構４０側に、スパウト３０の押下時に所定の位置で互いに係合することにより、音を発生するかまたはピストンの変位の非円滑性が生じる機構が設けられている。なおここでいう非円滑性とは、スパウト３０を押下しているユーザの手に衝撃を与える、振動を発する、ピストン４３の移動が重くなるなどをいう。
【００２９】
音が生じる機構について具体的に説明する。まずスパウト３０側の機構として、スパウト３０の内筒３３と外筒３２との間の空間には、図３に示すように、係合部３０ａが、内筒３３および外筒３２の同心円に沿うように配置されている。係合部３０ａが沿うように配置されている内筒３３および外筒３２の同心円の径は、キャップ１２の円筒状の固定部１２ａ（図４）の径よりわずかに大きい。係合部３０ａは、円板３１の下面に３つ配置されていて、内筒３３および外筒３２の同心円に沿って湾曲した板状をしている。各係合部３０ａはスパウト３０の押下時に後述するポンプ機構４０側の機構と係合する凸部３０ｂを有していて、それぞれの凸部３０ｂの長手方向は、係合部３０ａの内壁の周方向に沿って湾曲している。凸部３０ｂは、各係合部３０ａの内周面（固定部１２ａに向かい合う面）の同じ高さに設けられている。
【００３０】
一方、キャップ１２側の機構として、固定部１２ａの外周面の上端には図５に示すように、全周にわたって凹状の係合部１２ｃが設けられていて、係合部１２ｃの上部には凸部１２ｂが固定部１２ａの全周にわたって設けられている。スパウト３０が押下されてピストン４３の下端がシリンダー４１内で圧縮する方向へ一定量変位（下降）したとき、図６（ｂ）に示すように、スパウト３０の係合部３０ａの凸部３０ｂが、固定部１２ａの外周面の上端に到達して凸部１２ｂを乗り越えて凹状の係合部１２ｃと係合する。
【００３１】
噴出ポンプ１０の凸部３０ｂと凹状の係合部１２ｃの距離は、スパウト３０が最下部に押下されたときに、凸部３０ｂが凹状の係合部１２ｃに入るような距離に設定されている。なお、静止状態の凸部３０ｂと係合部１２ｃとの距離は液剤の噴出量に合わせて変更可能であり、所定の噴出量を噴出したときに凸部３０ｂが係合部１２ｃの凹部に入るように配置されていればよい。静止状態の凸部３０ｂと係合部１２ｃの距離が近いほど液剤の噴出量は少なくなり、凸部３０ｂと係合部１２ｃの凹部の距離が遠いほど液剤の噴出量は多くなる。
【００３２】
（噴出ポンプ１０の動作例）
続いて、噴出ポンプ１０の動作例を図７〜８を用いて説明する。
まず図７（ａ）に示すように、この噴出容器２０を初めて使用する場合、定量室４５内、パイプ１１内、およびピストン４３内には、空気が溜まっている。静止状態で定量室４５内は、上端が逆止弁４７により閉じられ、下端がボール弁４２により閉じられた状態である。
【００３３】
ユーザがスパウト３０を押下すると（矢印Ｙ１）、図７（ｂ）に示すように、ポンプ機構４０の構成で説明したようにポンプ機構４０が作動して、定量室４５内の空気が、ピストン４３内に流入し、上方に押し出されてノズル１３から噴出される。
【００３４】
ユーザがスパウト３０を押下する力を弱めると弾性体４４によりピストン４３が上昇する（矢印Ｙ２）。ピストン４３が上昇する際、ポンプ機構４０の構成で説明したようにポンプ機構４０が作動して、図８（ａ）に示すように容器体２１内の液剤Ｌがパイプ１１から定量室４５内に吸い上げられる。
【００３５】
スパウト３０が最も上部に位置する状態に復帰すると、噴出ポンプ１０が静止状態に戻る。ユーザがスパウト３０の押下を何回か繰り返すと、定量室４５内、ピストン４３内およびノズル１３内が液剤Ｌで満たされる。この状態でユーザが再度スパウト３０を押下すると、上述のようにポンプ機構４０が作動して、図８（ｂ）に示すように、液剤Ｌがノズル１３の先端から噴出される。
【００３６】
具体的には、図８（ａ）に示すようにユーザがスパウト３０を押下すると（矢印Ｙ３）、ポンプ機構４０が作動し、定量室４５内の液剤Ｌが上方に押し出されてノズル１３から噴出される。スパウト３０が最下部に押下されると、ピストン４３が降下して定量室４５が最も圧縮され、定量室４５の圧縮された量と同量の、一定量の液剤Ｌがノズル１３から噴出される。
【００３７】
図８（ｂ）に示すように、ユーザがスパウト３０を押下する力を弱めるとピストン４３が上昇する（矢印Ｙ４）。ピストン４３が上昇する際、ポンプ機構４０が作動して、容器体２１内の液剤Ｌが定量室４５内に吸い上げられる。
【００３８】
次に、本実施形態の要点である、係合部３０ａ、１２ｃの動作を、図６を参照して説明する。
【００３９】
静止状態では、図６（ａ）に示すように、スパウト３０は最も上部に位置しており、係合部３０ａ、１２ｃは最も離れた状態にある。
【００４０】
ユーザによりスパウト３０が最下部まで押下されると、図６（ｂ）に示すように、係合部３０ａの凸部３０ｂが凸部１２ｂを乗り越えて係合部１２ｃの凹部と係合する（凸部３０ｂが係合部１２ｃの凹部に入る）。係合部３０ａ、１２ｃは、係合すると、音を発生し、かつ、ピストン４３の移動の非円滑性を生じさせる。
【００４１】
ユーザがスパウト３０を押下する力を弱めると、弾性体４４がピストン４３を上昇させることにより、係合部３０ａ、１２ｃ係合が解除される。係合部３０ａ、１２ｃの係合が解除されるタイミングにおいても、音と、ピストン４３の移動の非円滑性が生じる。
【００４２】
このように本実施形態の噴出ポンプ１０は、ユーザがスパウト３０を押下して係合部３０ａ、１２ｃが係合すると、音およびピストン４３の移動の非円滑性が生じる。係合部３０ａ、１２ｃが発する音や非円滑性の触感によって、ユーザは、スパウト３０を最下部まで押し下げたことを認識できる。
【００４３】
そのためユーザは、スパウト３０を押下するたびにノズル１３から一定量の液剤Ｌを噴出させることができ、毎回同じ液剤Ｌの使用効果を得ることができる。例えば液剤Ｌが、一度に使用すべき量が決められている薬剤などの場合であっても、ユーザは、毎回決められた量の薬剤を噴出ポンプ１０から噴出させて使用することができる。
【００４４】
特に本実施形態のように凸部１２ｂが設けられている場合、ユーザがスパウト３０を押下すると、凸部３０ｂが凸部１２ｂを乗り越えてから係合部１２ｃの凹部に入るため、係合部３０ａと固定部１２ａとの係合により発生する音や非円滑性はより大きくなり、ユーザにスパウト３０が所定の位置まで押下されていることを認識させやすい。
【００４５】
またこの噴出ポンプ１０は、スパウト３０が最下部まで押し下げられたことを容易に認識できる構造であるため、視覚障害のある使用者にとっても使い勝手が良い。
【００４６】
なお、スパウト３０、ポンプ機構４０、パイプ１１には、ポリプロピレン、ポリエチレン、ポリアセタール、ＰＥＴ（ポリエチレンテレフタレート）、ＡＢＳ（アクリロニトリルブタジエンスチレン重合体）等の樹脂などが使用される。弾性体４４には、金属（例えば、SUS304、SUS316等のステンレス材）や樹脂のスプリングが使用できる。ボール弁４２の材料には、金属（例えば、SUS304、SUS316等のステンレス材）や樹脂が使用できる。
【００４７】
（変形例のスパウト３０Ｂ）
スパウトの変形例について図９を用いて説明する。変形例のスパウト３０Ｂは、３つの係合部３０ａを有している点でスパウト３０と同じだが、各係合部３０ａに凸部３０ｂが上下方向に複数段設けられている点が、スパウト３０と異なっている。このスパウト３０Ｂを有する噴出ポンプでは、ユーザがスパウト３０Ｂを押下して複数の凸部３０ｂが固定部１２ａの係合部１２ｃの凹部（図２など参照）に係合する度に、定量の液剤がノズル１３から噴射される。
【００４８】
凸部３０ｂが各係合部３０ａの下から凸部３０ｂ１、３０ｂ２、３０ｂ３の順に等間隔で３つ設けられている場合、スパウト３０Ｂの押下により最初に凸部３０ｂ１が係合部１２ｃの凹部に係合し、次に凸部３０ｂ２が係合部１２ｃの凹部に係合し、最後に凸部３０ｂ３が係合部１２ｃの凹部に係合する。凸部３０ｂ１が係合部１２ｃの凹部に係合してから凸部３０ｂ２が係合部１２ｃの凹部に係合するまでの間にノズル１３から噴出される液剤の量と、凸部３０ｂ２が係合部１２ｃの凹部に係合してから凸部３０ｂ３が係合部１２ｃの凹部に係合するまでの間にノズル１３から噴出される液剤の量とは、同量になる。
【００４９】
このように変形例のスパウト３０Ｂには凸部３０ｂが上下方向に複数段設けられているため、このスパウト３０Ｂを有する噴出ポンプを使用するユーザは、複数の凸部３０ｂが係合部１２ｃの凹部に係合する度に、所定量の内容物が噴出されていることを音と非円滑性により認識することができる。
【００５０】
（その他の変形例）
なお、上述した構成では係合部３０ａ、１２ｃが係合する際、音と非円滑性の両方が生じる構成について説明したが、所定量の内容物が噴出されていることをユーザに認識させるための構成は上述した例に限らない。例えば係合部３０ａ、１２ｃが係合する際、音と非円滑性のいずれか一方が発生することにより、ユーザにスパウト３０が所定の位置まで押下されていることを認識させる構造でもよい。
【００５１】
また凹状の係合部３０ａと固定部１２ａに設けられた凸部とが係合して音や非円滑性が生じる構造であってもよいし、固定部１２ａの係合部１２ｃが複数に分かれていてもよいし、凸部３０ｂが各係合部３０ａのそれぞれ同じ高さで複数に分かれていてもよい。
【００５２】
また係合部３０ａおよび係合部１２ｃのいずれか一方が粗面であって、他方が面または凸部であって、両者が擦れ合い摩擦係数が大きくなることで、ピストン４３の移動が重くなることにより非円滑性を生じさせ、音を発生させずに所定の内容物が噴出されていることをユーザに認識させる構成でもよい。
【００５３】
なお、固定部１２ａに凸部１２ｂが設けられていることで、係合部３０ａと固定部１２ａとの係合により発生する音や非円滑性は、上述の通り大きくなるが、係合部１２ｃの上部の凸部１２ｂは省略してもよい。
【００５４】
また係合部１２ｃは、固定部１２ａの外周面に限らず、固定部１２ａとシリンダー４１の少なくとも一方の外周面の上端に配置されていてもよいし、係合部３０ａは、スパウト３０に限らず、スパウト３０の一部とピストン４３下端の少なくとも一方に配置されていてもよい。
【００５５】
また、本実施形態では係合部３０ａと係合部１２ｃとの係合により音を発するものであったが、係合部３０ａまたは係合部１２ｃのいずれか一方が設けられていて、スパウト３０が押下されると係合部３０ａまたは係合部１２ｃが他の部材と係合して、ユーザにスパウト３０が所定の位置まで押下されていることを認識させる構造でもよい。
【００５６】
係合部３０ａが配置されている場合、係合部３０ａの数は、３つに限らず、３以上、あるいは以下であってもよい。ただし係合部３０ａは、内筒と外筒との間の空間に複数配置されていることが好ましい。係合部３０ａは、固定部１２ａに係合可能な凸部３０ｂが外筒３２の内周面に設けられている場合、外筒３２と一体となっていてもよい。
【００５７】
なおポンプ機構４０は上述したような直圧型に限らず、定量室４５内の圧力が所定値より高まると一気に液剤を噴出する蓄圧型であってもよい。直圧型と蓄圧型とでは、シリンダー４１の内部構造が異なるが、ピストン４３の上端に配置されている部材をユーザが押下することでピストン４３がシリンダー４１内で上下動し、内容物が噴出される点では同じである。従って蓄圧型の噴出ポンプでも直圧型の噴出ポンプと同様に、ピストン４３の上下動に伴い音などを発する機構部を、ピストン４３の変位により上下動する変位部材側と、シリンダー４１側との少なくとも一方に設けることができ、それにより上述した直圧型の噴出ポンプ１０と同様の効果を得ることができる。
【００５８】
また、噴出ポンプ１０の外に内容物を噴出するための構造は、ユーザがトリガーのレバーを引くことで内容物が噴出される構造であってもよい。さらにポンプ機構４０は、上述のように液剤が噴出されるタイプに限らず、内容物が霧状、ゲル状、泡状などで噴出される構造であってもよい。
【００５９】
また、本実施形態では、噴出ポンプについて説明してきたが、エアゾールの噴出バルブに本発明を適用することも可能である。噴出バルブは、押下されるとエアゾールの内容物を噴出するステムを有し、ステムには、ステムを押し下げる噴出ユニットが取り付けられる。噴出ユニットには、ボタンやレバーやトリガー等の操作部と、容器に固定される固定部とが備えられている。よって、この操作部が一定量変位した際、固定部の一部と係合して音または非円滑性を生じさせる機構部（係合部）を設けることにより、内容物を一定量噴出させることが可能になる。特に、噴出バルブが、定量バルブである場合、本発明を適用すると有用である。
【符号の説明】
【００６０】
１０…噴出ポンプ、１１…パイプ、１２…キャップ、１２ａ…固定部、１２ｂ…凸部、１２ｃ…係合部、１３…ノズル、２０…噴出容器、２１…容器体、２２…開口部、３０…スパウト、３０ａ…係合部、３０ｂ…凸部、４０…ポンプ機構、４１…シリンダー、４３…ピストン
【図１】
2020083425.tif 000003
【図２】
2020083425.tif 000004
【図３】
2020083425.tif 000005
【図４】
2020083425.tif 000006
【図５】
2020083425.tif 000007
【図６】
2020083425.tif 000008
【図７】
2020083425.tif 000009
【図８】
2020083425.tif 000010
【図９】
2020083425.tif 000011